(57)【要約】      （修正有）【課題】爆発物の検査などの緊急状況下で取っ手を放射線検出ボディの間に速やかに取り付け可能にする放射線検出装置用取っ手を提供する。【解決手段】放射線検出ボディ３００に着脱される取っ手１００において、ユーザーが把持可能なボディ１１０と、放射線検出ボディの結合溝に結合される第１のフックと、ユーザーの操作によって移動して、当該取っ手の結合状態を解除するボタン部と、前記ボタン部と連動されて放射線検出ボディの結合溝に結合される第２のフックと、前記ボディの内部に備設される二重ロック装置と、を備え、前記二重ロック装置は、放射線検出ボディとの接触に伴って上下方向に垂直移動するトリガーと、前記ボディと連結されて、前記トリガーが垂直移動することに伴い、前記トリガーに向かって前進する移動部と、前記移動部と結合されて、当該取っ手の取り外し時に前記移動部が前進することを防ぐストッパーと、を備えることを特徴とする。【選択図】図２
2019158880.tif 000002
【特許請求の範囲】
【請求項１】
放射線検出ボディに着脱される取っ手において、
ユーザーが把持可能なボディと、
前記放射線検出ボディの結合溝に結合される第１のフックと、
ユーザーの操作によって移動して、当該取っ手の結合状態を解除するボタン部と、
前記ボタン部と連動されて放射線検出ボディの結合溝に結合される第２のフックと、
前記ボディの内部に備設される二重ロック装置と、
を備えることを特徴とする放射線検出装置用取っ手。
【請求項２】
前記二重ロック装置は、
前記放射線検出ボディとの接触に伴って上下方向に垂直移動するトリガーと、
前記ボディと連結されて、前記トリガーが垂直移動することに伴い、前記トリガーに向かって前進する移動部と、
前記移動部と結合されて、当該取っ手の取り外し時に前記移動部が前進することを防ぐストッパーと、
を備えることを特徴とする請求項１に記載の放射線検出装置用取っ手。
【請求項３】
前記トリガーは、
前記移動部の水平移動につれて前記ストッパーを撓ませる曲面部と、
前記ストッパーを固定する係止溝と、
一面が前記移動部と接触して、前記移動部が前進することを防ぐ突出部と、
を備えることを特徴とする請求項２に記載の放射線検出装置用取っ手。
【請求項４】
前記移動部は、前記ボディの外側面に露出されて、
ユーザーの操作に従って前記移動部を前進または後進させる操作部をさらに備えることを特徴とする請求項２に記載の放射線検出装置用取っ手。
【請求項５】
前記第１のフックと第２のフックが放射線検出ボディの結合溝に結合されれば、前記トリガーが上昇することになり、
前記トリガーが上昇することにつれて、前記移動部が前進して前記ボタン部が押されることを防ぐことを特徴とする請求項２に記載の放射線検出装置用取っ手。
【請求項６】
前記取っ手の結合状態を解除するために前記移動部を後進させると、
前記ストッパーが前記係止溝に引っ掛かって前記移動部が前進することが防止可能であることを特徴とする請求項３に記載の放射線検出装置用取っ手。
【請求項７】
前記移動部が後進することにつれて、前記ボタン部が押され得ることを特徴とする請求項６に記載の放射線検出装置用取っ手。
【請求項８】
当該取っ手が放射線検出ボディに結合された状態で前記ボタン部が押されると、前記第２のフックと放射線検出ボディの結合溝との間の結合が解除されて当該取っ手の一方の側が分離されながら前記トリガーが下降することになり、
前記トリガーが下降することにつれて、前記ストッパーが前記係止溝の外部に抜け出て前記移動部が前記突出部と当接するまで前進することを特徴とする請求項３に記載の放射線検出装置用取っ手。
【請求項９】
少なくとも一つ以上の面に複数の結合溝が形成された放射線検出ボディと、
前記結合溝に着脱自在に結合される取っ手と、を備え、
前記取っ手は、
ユーザーが把持可能なボディと、
前記結合溝に結合される第１のフックと、
ユーザーの操作に従って垂直方向に移動し、当該取っ手の結合状態を解除するボタン部と、
前記ボタン部と連動され、前記結合溝に結合される第２のフックと、
前記ボディの内部に備設され、放射線検出ボディとの接触に伴って上下方向に垂直移動するトリガーと、前記ボディとバネ連結されて、前記トリガーが垂直移動することにつれて、前記トリガーに向かって前進する移動部と、前記移動部と結合されて、当該取っ手の取り外し時に前記移動部が前進することを防ぐストッパーと、から構成された二重ロック装置と、を備えることを特徴とする放射線検出装置。
【請求項１０】
複数の前記結合溝は、前記放射線検出ボディの少なくとも一つ以上の面に対称的に形成されることを特徴とする請求項９に記載の放射線検出装置。
【発明の詳細な説明】
【技術分野】
【０００１】
本発明は、放射線検出装置用取っ手に係り、より詳しくは、放射線検出ボディに方向を問わず着脱可能で、ユーザーが速やかに且つ安定的に放射線検出装置を運べるようにする放射線検出装置用取っ手に関する。
【背景技術】
【０００２】
放射線は、不安定な原子核を有する放射性元素が崩壊されるときに放出されるアルファ線（α線）、ベータ線（β線）、ガンマ線（γ線）、エックス線（Ｘ線）などを意味し、放射線は、無色、無音、無味、無臭、無感であるため、人間の感覚器官では放射線を検出することができないため  、放射線を検出するためには別途の検出装置を利用することを余儀なくされる。
従来は、エックス線（Ｘ線）が物体を透過しながら物体の材質、密度、厚さに応じて減衰される現象を用いて、物体を透過したエックス線の減衰量を分析して人体の内部構造（例えば、胸部、腹部、骨盤、頭蓋骨など）に対する画像イメージを実現して疾病を診断するなどの医療目的で放射線を主として使用したが、最近は、医療分野だけではなく、産業及びセキュリティ分野、材料科学分野、宇宙物理学分野及び空気／水中汚染モニターリングなどの各種の分野においても放射線が活用される傾向にある。
放射線の活用分野が拡大することに伴い、放射線の撮影場所もまた、従来の屋内から屋外まで拡大され、撮影の対象もまた、人間の身体から各種の物質まで多様化してきて、携帯性を兼ね備えた放射線検出装置の必要性が取り上げられ始めた。
【０００３】
これにより、図１に示すように、放射線検出装置の一種であるエックスレイデテクター１０に取っ手１００を取り付け、ユーザーが取っ手１００を把持することによりエックスレイデテクター１０を手軽に運べるようにしようとする試みがあったが、従来の放射線検出装置には、取っ手１００とエックスレイデテクター１０が結合可能な方向が一方向（単方向）と定められていて、取っ手１００がエックスレイデテクター１０に結合される方向を合わせなければならないため、エックスレイデテクター１０と取っ手１００を速やかに結合し難いという問題があった。
併せて、従来は、取っ手１００がエックスレイデテクター１０に形成された「Ｌ」字状の溝１１に摺動しながら結合される方式を採用していたため、単方向にしか結合できず、取っ手１００とエックスレイデテクター１０との間の速やかな着脱が困難であるという問題及び取っ手１００とエックスレイデテクター１０との間にすき間が存在せざるを得ないため結合安定性に乏しいという問題があり、これにより、移動中に取っ手１００とエックスレイデテクター１０との間の結合が解除されて、エックスレイデテクター１０が底面から落下しながら破損する恐れがあった。
すなわち、従来提案されていた放射線検出装置の携帯性を高めるための試みは、放射線検出ボディの結合安定性を確保することができない問題があったため、このような問題を補い得る新規な方案が求められていた。
【先行技術文献】
【特許文献】
【０００４】
【特許文献１】大韓民国登録特許公報１０−１５０２８４４
【発明の概要】
【発明が解決しようとする課題】
【０００５】
本発明が目的とするところは、放射線検出ボディに方向を問わずに着脱可能な取っ手を提供することにより、取っ手と放射線検出ボディとの間の結合のしやすさを確保し、爆発物の検査などの緊急状況下で取っ手を放射線検出ボディの間に速やかに取り付け可能にすることで、従来の放射線検出装置が抱えている問題を解決しようとすることにある。
また、摺動結合方式ではなく、フック結合方式を採択した放射線検出装置用取っ手により、放射線検出ボディと取っ手との間のすき間を最小化させ、結合安定性を高めることにある。
さらに、前記フック結合方式に加えて、トリガー、ストッパーなどから構成された二重ロック装置を備えることにより、ユーザーが放射線検出装置を手に持って移動する間に取っ手と放射線検出ボディが分離されることを防ぐことにある。
【０００６】
本発明が解決しようとする技術的課題は、上述した技術的課題に何等制限されるものではなく、未言及の他の技術的課題は、次の記載から本発明が属する技術分野において通常の知識を有する者にとって明確に理解できる筈である。
【課題を解決するための手段】
【０００７】
本発明は、放射線検出ボディに着脱される取っ手において、ユーザーが把持可能なボディと、放射線検出ボディの結合溝に結合される第１のフックと、ユーザーの操作によって移動して、当該取っ手の結合状態を解除するボタン部と、前記ボタン部と連動されて放射線検出ボディの結合溝に結合される第２のフックと、前記ボディの内部に備設される二重ロック装置と、を備えることを特徴とする。
【０００８】
前記二重ロック装置は、放射線検出ボディとの接触に伴って上下方向に垂直移動するトリガーと、前記ボディと連結されて、前記トリガーが垂直移動することに伴い、前記トリガーに向かって前進する移動部と、前記移動部と結合されて、当該取っ手の取り外し時に前記移動部が前進することを防ぐストッパーと、を備えることを特徴とする。
【０００９】
前記トリガーは、前記移動部の水平移動につれて前記ストッパーを撓ませる曲面部と、前記ストッパーを固定する係止溝と、一面が前記移動部と接触して、前記移動部が前進することを防ぐ突出部と、を備えることを特徴とする。
【００１０】
前記移動部は、前記ボディの外側面に露出されて、ユーザーの操作に従って前記移動部を前進または後進させる操作部をさらに備えることを特徴とする。
【００１１】
前記第１のフックと第２のフックが放射線検出ボディの結合溝に結合されれば、前記トリガーが上昇することになり、前記トリガーが上昇することにつれて、前記移動部が前進して前記ボタン部が押されることを防ぐことを特徴とする。
【００１２】
前記取っ手の結合状態を解除するために前記移動部を後進させると、前記ストッパーが前記係止溝に引っ掛かって前記移動部が前進することが防止可能であることを特徴とする。
【００１３】
前記移動部が後進することにつれて、前記ボタン部が押されることを特徴とする。
【００１４】
前記取っ手が放射線検出ボディに結合された状態で前記ボタン部が押されると、前記第２のフックと放射線検出ボディの結合溝との間の結合が解除されて当該取っ手の一方の側が分離されながら前記トリガーが下降することになり、前記トリガーが下降することにつれて、前記ストッパーが前記係止溝の外部に抜け出て前記移動部が前記突出部と当接するまで前進することを特徴とする。
【００１５】
また、本発明は、少なくとも一つ以上の面に複数の結合溝が形成された放射線検出ボディと、前記結合溝に着脱自在に結合される取っ手と、を備え、前記取っ手は、ユーザーが把持可能なボディと、前記結合溝に結合される第１のフックと、ユーザーの操作に従って垂直方向に移動し、当該取っ手の結合状態を解除するボタン部と、前記ボタン部と連動され、前記結合溝に結合される第２のフックと、前記ボディの内部に備設され、放射線検出ボディとの接触に伴って上下方向に垂直移動するトリガーと、前記ボディとバネ連結されて、前記トリガーが垂直移動することにつれて、前記トリガーに向かって前進する移動部と、前記移動部と結合されて、当該取っ手の取り外し時に前記移動部が前進することを防ぐストッパーと、から構成された二重ロック装置と、を備えることを特徴とする。
【００１６】
前記複数の結合溝は、前記放射線検出ボディの少なくとも一つ以上の面に対称的に形成されることを特徴とする。
【発明の効果】
【００１７】
本発明によれば、フック結合方式の放射線検出装置用取っ手を提供してユーザーが方向を問わずに取っ手を放射線検出ボディに着脱できるようにして取っ手の速やかな着脱を可能にする。
また、従来の摺動結合方式とは異なり、フック結合方式を採択した取っ手を通して取っ手と放射線検出ボディとの間のすき間を最小化させることにより、結合安定性を高めることができ、これを通して、放射線検出ボディが地面に落下して破損することを防ぐことができる。
【図面の簡単な説明】
【００１８】
【図１】従来の「Ｌ」字状の結合溝を有する放射線検出ボディに結合突起が形成された取っ手が着脱される手順を示す図である。
【図２】放射線検出ボディに本発明の一実施形態である取っ手が取り付けられた状態を示す斜視図である。
【図３】本発明の一実施形態である放射線検出装置用取っ手のＡ−Ａ矢視の断面図である。
【図４ａ】本発明の一実施形態に係る取っ手が放射線検出ボディに結合される手順を示す断面図である。
【図４ｂ】本発明の一実施形態に係る取っ手が放射線検出ボディに結合される手順を示す断面図である。
【図４ｃ】本発明の一実施形態に係る取っ手が放射線検出ボディに結合される手順を示す断面図である。
【図４ｄ】本発明の一実施形態に係る取っ手が放射線検出ボディに結合される手順を示す断面図である。
【図５ａ】本発明の一実施形態に係る取っ手が放射線検出ボディから取り外される手順を示す断面図である。
【図５ｂ】本発明の一実施形態に係る取っ手が放射線検出ボディから取り外される手順を示す断面図である。
【図５ｃ】本発明の一実施形態に係る取っ手が放射線検出ボディから取り外される手順を示す断面図である。
【図５ｄ】は本発明の一実施形態に係る取っ手が放射線検出ボディから取り外される手順を示す断面図である。
【図６ａ】本発明の他の実施形態である放射線検出装置において、取っ手が方向を問わずに放射線検出ボディに取り付けられる手順を示す図である。
【図６ｂ】本発明の他の実施形態である放射線検出装置において、取っ手が方向を問わずに放射線検出ボディに取り付けられる手順を示す図である。
【発明を実施するための形態】
【００１９】
以下、図面に基づいて、本発明をより詳しく説明する。図中、同じ構成要素は、できる限りどこでも同じ符号で表わしていることに留意すべきである。なお、本発明の要旨を余計に曖昧にする恐れがある公知の機能及び構成についての詳細な説明は省略する。
ある構成要素が他の構成要素に連結されているとか、接続されているとか、と言及されるときには、その他の構成要素に直接的に連結または接続されていてもよいが、中間に他の構成要素が存在してもよいと理解されるべきである。なお、本明細書の全体において、ある部材が他の部材の「上に」位置するとしたとき、これは、ある部材が他の部材に接している場合だけではなく、両部材の間にさらに他の部材が存在する場合も含む。
本出願において、「備える。」または「有する。」などの用語は、明細書の上に記載された特徴、数字、段階、動作、構成要素、部品またはこれらを組み合わせたものが存在することを指定しようとするものに過ぎず、一つまたはそれ以上の他の特徴や数字、段階、動作、構成要素、部品またはこれらを組み合わせたものの存在または付加可能性を予め排除しないものと理解されるべきである。
【００２０】
まず、図２及び図３に基づいて、本発明の一実施形態である放射線検出装置用取っ手について具体的に説明する。
図２は、放射線検出ボディに本発明の一実施形態である取っ手が取り付けられた状態を示す斜視図であり、図３は、本発明の一実施形態である放射線検出装置用取っ手のＡ−Ａ矢視の断面図である。
本発明の一実施形態に係る放射線検出ボディ３００に着脱可能な放射線検出装置用取っ手１００は、ユーザーが把持して、放射線検出ボディ３００を安定的に移動させ得るボディ１１０と、前記ボディ１１０の一方の側の下端に備設されて、放射線検出ボディ３００に形成された結合溝３１０ａに結合される第１のフック１２０と、ユーザーの操作、すなわち、ユーザーの押下に従って当該取っ手１００と放射線検出ボディ３００が接触する面を基準として垂直方向に移動し、当該取っ手１００の結合状態を解除するボタン部１４０と、ボタン部１４０の下端に結合されることにつれて、ボタン部１４０の垂直運動に連動して回転し、第１のフック１２０と同様に、放射線検出ボディ３００に形成された他の結合溝３１０ｂに結合される第２のフック１３０と、ボディ１１０の内部に備設されて、取っ手１００が放射線検出ボディ３００に結合された状態でボタン部１４０が押されることを防ぐ二重ロック装置２００と、を備える。
【００２１】
すなわち、本発明の放射線検出装置用取っ手１００は、ｉ）第１のフック１２０と第２のフック１３０が放射線検出ボディ３００に形成された結合溝３１０ａ、３１０ｂにフック結合されながら取っ手１００と放射線検出ボディ３００を１次的に結合し、
ｉｉ）二重ロック装置２００がボタン部１４０に押されることを防いで、２次的に第１のフック１２０、第２のフック１３０と結合溝３１０ａ、３１０ｂとの間の結合が解除されることを防ぐことにより、従来の摺動結合方式を採択した放射線検出装置に比べて結合安定性を高めることができることを特徴とする。
このとき、本発明についての上述した説明の欄と図面の上には、ボタン部１４０が取っ手１００の上端面に位置しユーザーの操作に従って垂直移動し、第２のフック１３０はボタン部１４０の垂直移動に連動して回転することにより、放射線検出ボディの結合溝に着脱可能であるという内容についてのみ記載されているが、これは一実施形態に過ぎず、
ｉ）図面の上に示していないが、ボタン部１４０が取っ手１００の左側または右側の面に位置して、ユーザーの操作によって水平方向（取っ手の内側方向）に移動し、第２のフック１３０は、ボタン部１４０の水平移動に連動されて回転することにより、放射線検出ボディ３００に形成された結合溝に取り付けられたり取り外されたりし、
ｉｉ）ボタン部１４０と第２のフック１３０が一体に形成されて、ユーザーのボタン部１４０の操作によって第２のフック１３０が放射線検出ボディ３００に形成された結合溝に取り付けられたり取り外されたりしてもよい。
併せて、ボタン部１４０が取っ手１００の上端面ではなく、左側または右側の面に位置するとしても、二重ロック装置２００によって二重ロックが行われることは同様である。
【００２２】
図３に基づいて、二重ロック装置２００について述べる。二重ロック装置２００は、第２のフック１３０と隣り合う領域に位置して第２のフック１３０が放射線検出ボディ３００の結合溝３１０ｂに結合されれば、放射線検出ボディ３００との接触によって接触する面を基準として上下方向に垂直移動するトリガー２１０と、後端面２２０ｂがボディ１１０の内部とバネ２２１により連結されて、トリガー２１０が上述したように上下方向に垂直移動すれば、バネ２２１の弾性力によってトリガー２１０に向かって前進（水平移動）する移動部２２０と、移動部２２０に結合され、後述するように、取っ手１００の取り外し時に移動部２２０が前進することを防止可能な弾性材質のストッパー２３０と、を備える。
このとき、トリガー２１０は、表面が曲面状に形成されて、移動部２２０の前後進の水平移動につれてストッパー２３０を上に撓ませる曲面部２１１と、曲面部２１１と隣り合う位置に形成された溝であって、取っ手１００の取り外し時にストッパー２３０を固定する役割を果たす係止溝２１２と、一面が移動部２２０の接触面２２０ａと接触して、移動部２２０の前進を防ぐ突出部２１３と、を備えて、放射線検出ボディ３００との接触に伴って移動部２２０及び移動部２２０に結合されたストッパー２３０の動きを制限することができる。
また、移動部２２０は、上述したように、後端面２２０ｂがボディ１１０の内部面とバネ２２１により連結されてバネ２２１の弾性力によってトリガー２１０に向かって前進してボタン部１４０が押されることを防ぐことにより、ボタン部１４０が不意に押されて取っ手１００が取り外されることを防ぐことができ、逆に、ユーザーの操作によって後進してユーザーがボタン部１４０を押せるようにすることで、取っ手１００を取り外すこともできる。
【００２３】
換言すると、移動部２２０は、前進または後進の水平移動を通じて第２のフック１３０と連結されて第２のフック１３０の動きを調節可能なボタン部１４０の動きを制御することにより、取っ手１００と放射線検出ボディ３００の分離を防ぐか、または取っ手１００と放射線検出ボディ３００の二重ロックを解除する役割を果たす。
このとき、移動部２２０は、図２に示すように、操作部２４０をさらに備え、操作部２４０は、ボディ１１０の外側面に露出されて、ユーザーが操作部２４０を前方または後方に移動させることにより、移動部２２０を前後進させることができる。例えば、ユーザーがボタン部１４０を基準として操作部２４０を後方方向に操作すれば（押せば）、移動部２２０が後進して後端面２２０ｂに連結されたバネ２２１を圧縮することになる。
次いで、ストッパー２３０は、弾性材質から形成され、移動部２２０と結合されて、取っ手１００の着脱手順において移動部２２０の前後進に応じてトリガー２１０の曲面部２１１に沿って動きながら上側方向に撓んだり、係止溝２１２に引っ掛かって移動部２２０の前進を防いだりする役割を果たす。
このとき、図３では、ストッパー２３０が移動部２２０の内部に結合されていると示されているが、これに何等限定されるものではなく、ストッパー２３０が移動部２２０の外側面に結合されてもよい。
併せて、トリガー２１０もまた、図３の上には、移動部２２０の内側に位置すると示しているが、これに何等限定されるものではなく、移動部２２０がトリガー２１０の内側に位置してもよい。
【００２４】
次いで、図４に基づいて、本発明の取っ手１００が放射線検出ボディ３００に結合される手順について具体的に説明する。
このとき、ｉ）図４ａは、取っ手の第１のフック１２０が結合溝３１０ａに結合された状態で第２のフック１３０が他の結合溝３１０ｂに結合される手順を示す断面図であり、ｉｉ）図４ｂは、放射線検出ボディ３００と接触したトリガー２１０が上昇する手順を示す断面図であり、ｉｉｉ）図４ｃは、トリガー２１０が完全に上昇した後、移動部２２０が前進する手順を示す断面図であり、ｉｖ）図４ｄは、移動部２２０が前進してトリガー２１０の一面の（突出部２１３の下端の一面）に移動部２２０の接触面２２０ａが接触された状態を示す断面図である。
また、図４ａから図４ｄには、第１のフック１２０が右側に位置する結合溝３１０ａに結合され、第２のフック１３０が左側に位置する結合溝３１０ｂに結合されることを示しているが、これは一実施形態に過ぎず、第１のフック１２０が左側に位置する結合溝３１０ｂに結合され、第２のフック１３０が右側に位置する結合溝３１０ａに結合されてもよい。
本発明の取っ手１００は、まず、第１のフック１２０を結合溝３１０ａまたは３１０ｂにフック結合し、次いで、第２のフック１２０を他の結合溝３１０ｂまたは３１０ａにフック結合する方式により放射線検出ボディ３００に結合されるが、図４ａに示すように、第１のフック１２０が結合溝３１０ａに結合した状態で取っ手１００を逆方向に傾けると、第２のフック１３０の下端部が結合溝３１０ｂの傾斜面３２０と接触しながら傾斜面３２０の表側方向に回転（図４ａにおいては、時計回り方向に回転）することになり、第２のフック１３０と連結されたボタン部１４０もまた所定の高さだけ下降することになる。
【００２５】
引き続き、取っ手１００を完全に傾けて取っ手１００と放射線検出ボディ３００を密着させると、放射線検出ボディ３００とトリガー２１０の下端との接触によってトリガー２１０が図４ｂに示すように上昇することになり、これにより、曲面部２１１の上端に位置していたストッパー２３０は上側方向に撓むことになる。
トリガー２１０が上昇すると、これにつれてトリガー２１０に形成された突出部２１３もまた上昇して、図４ｃに示すように、突出部２１３に圧縮されていた移動部２２０がバネ２２１の弾性力によって前進することになり、移動部２２０に結合されたストッパー２３０もまた曲面部２１１に沿って前進することになる。
移動部２２０が、図４ｄに示すように、トリガー２１０の一面に当接するまで前進すると、移動部２２０の前端がボタン部１４０の下端に位置することになって、ボタン部１４０が押されることを防ぐことができる。
すなわち、移動部２２０の前端がボタン部１４０の下端に位置することにより、取っ手１００の二重ロックが行われ、これを通して、ユーザーが取っ手１００を把持する手順においても不意にボタン部１４０が押されて取っ手１００が放射線検出ボディ３００から取り外されることを防ぐことができる。
【００２６】
次いで、図５に基づいて、本発明の取っ手１００と放射線検出ボディ３００の結合が解除される手順、すなわち、取っ手１００が取り外される手順について説明する。
ｉ）図５ａは、ユーザーの操作部２４０の操作によって移動部２２０が後進する手順を示す断面図であり、ｉｉ）図５ｂは、移動部２２０の後進につれてストッパー２３０が係止溝２１２に引っ掛かって、移動部２２０と突出部２１３が当接していなくても移動部２２０の前進が抑えられる手順を示す断面図であり、ｉｉｉ）図５ｃは、ユーザーがボタン部１４０を押して結合溝３１０ｂから第２のフック１３０が係脱される手順を示す断面図であり、ｉｖ）図５ｄは、第２のフック１３０が結合溝３１０ｂから係脱されてトリガー２１０が下降しながら、ストッパー２３０が係止溝２１２を抜け出て二重ロック装置２００が取っ手１００の結合前の当初の状態に戻る手順を示す断面図である。
取っ手１００と放射線検出ボディ３００が結合された状態では、移動部２２０が前進してユーザーがボタン部１４０を押すことができないため、取っ手１００を放射線検出ボディ３００から取り外すためには、ユーザーが操作部２４０を後ろに押して、図５ａに示すように移動部２２０を後進させなければならない。
移動部２２０を後進させると、これにつれて移動部２２０と結合したストッパー２３０もまた後進し、その結果、ストッパー２３０は、図５ｂに示すように、曲面部２１１によって上側方向に撓んでいて、曲面部２１１と隣り合う位置に形成された係止溝２１２に引っ掛かることになる。
【００２７】
ストッパー２３０が係止溝２１２に引っ掛かることにより、移動部２２０の接触面２２０ａが突出部２１３と当接していなくても、トリガー２１０に向かって前進することができなくなり、これにより、移動部２２０が後進した状態が維持され二重ロックが解除されて、ユーザーがボタン部１４０を押すことが可能になる。
換言すると、取っ手１００が放射線検出ボディ３００に結合されると、上述したように、移動部２２０の前端がボタン部１４０の下端に位置して取っ手１００の二重ロックが行われるが、ユーザーの操作により移動部２２０が後進しながら移動部２２０と結合されたストッパー２３０がトリガー２１０の係止溝２１２に引っ掛かることにより、トリガー２１０が上昇した状態でも移動部２２０の後進状態を維持することができる。
このように、移動部２２０の後進状態を維持することが可能になって取っ手の取り外し時に片手では移動部２２０を後進させ、もう一つの手ではボタン部１４０を押すという煩雑な手順なしにユーザーが片手のみを用いてボタン部１４０を押すことにより、第２のフック１３０と結合溝３１０ｂとの結合を解除して取っ手１００を放射線検出ボディ３００から取り外すことができる。
図示はしないが、ボタン部１４０の下端にはバネが備設され、バネは、ユーザーの操作によって下降したボタン部１４０を再び上昇させることができる。
【００２８】
ストッパー２３０が係止溝２１２に引っ掛かって二重ロックが解除されると、ユーザーは、図５ｃに示すように、ボタン部１４０を押して第２のフック１３０を結合溝３１０ｂから係脱させ、第２のフック１３０が係脱されれば、図５ｄに示すように、取っ手１００を第１のフック１２０方向に傾けて放射線検出ボディ３００によって上昇されていたトリガー２１０を再び元の状態に下降させることができる。
このとき、トリガー２１０の上端にも、図示はしないが、バネが備設されて、放射線検出ボディ３００とトリガー２１０の下端との結合が解除されれば、バネの弾性力によって上昇されていたトリガー２１０を再び下降させることができる。
係止溝２１２に引っ掛かっていたストッパー２３０は、トリガー２１０の下降につれて係止溝２１２を抜け出て固定されていた移動部２２０が一部前進することになり、前進していた移動部２２０は、元の状態に戻ったトリガー２１０の突出部２１３と当接することになって、具体的には、移動部２２０の接触面２２０ａが突出部２１３の一面と当接することになる。前進が抑えられて、結果的に、本発明の取っ手１００は結合前の状態に戻ることになる。引き続き、結合溝３１０ａに結合されていた第１のフック１２０を係脱させると、取っ手１００を放射線検出ボディ３００から完全に取り外すことができる。
【００２９】
次いで、図２及び図３と図６に基づいて、本発明の他の実施形態である放射線検出装置について説明する。
図６は、本発明の他の実施形態である放射線検出装置において、取っ手が方向を問わずに放射線検出ボディに取り付けられる手順を示す図である。
本発明の他の実施形態に係る放射線検出装置は、少なくとも一つ以上の面に複数の結合溝３１０ａ、３１０ｂが形成された放射線検出ボディ３００と、結合溝３１０ａ、３１０ｂに着脱自在に結合される取っ手１００と、を備え、
取っ手１００は、上述したように、ユーザーが把持可能なボディ１１０と、結合溝３１０ａまたは３１０ｂに結合される第１のフック１２０と、ユーザーの操作に従って垂直方向に移動し、当該取っ手１００の結合状態を解除するボタン部１４０と、ボタン部１４０と連動し、結合溝３１０ｂまたは３１０ａに結合される第２のフック１３０と、ボディ１１０の内部に備設され、放射線検出ボディ３００との接触に伴って上下方向に垂直移動するトリガー２１０と、ボディ１１０とバネ２２１により連結されて、トリガー２１０が垂直移動することにつれてトリガー２１０に向かって前進する移動部２２０と、移動部２２０と結合されて、当該取っ手１００の取り外し時に移動部２２０が前進することを防ぐストッパー２３０と、から構成された二重ロック装置２００と、を備えることを特徴とする。
但し、取っ手１００の構成及び放射線検出ボディ３００に着脱される手順は、上述した通りであるため、以下では、取っ手１００についての具体的な説明は省略する。
【００３０】
放射線検出ボディ３００の一面には、少なくとも二つ以上の結合溝３１０ａ、３１０ｂが形成され、取っ手１００の第１のフック１２０、第２のフック１３０がそれぞれの結合溝にフック結合されることにより、取っ手１００と放射線検出ボディ３００が結合可能になる。
このとき、複数の結合溝３１０ａ、３１０ｂは、図６に示すように、矩形状の放射線検出ボディ３００の少なくとも一つ以上の面に形成され、特に、放射線検出ボディ３００の一面に対称的に形成されて、第１のフック１２０と第２のフック１３０が結合溝の位置を問わずに結合できる。
具体的に、ｉ）図６ａに示すように、第１のフック１２０が先に右側に位置する結合溝３１０ａに結合され、引き続き、第２のフック１３０が左側に位置する結合溝３１０ｂに結合されることにより、取っ手１００が放射線検出ボディ３００に結合されてもよく、逆に、ｉｉ）図６ｂに示すように、第１のフック１２０が左側に位置する結合溝３１０ｂに先に結合され、引き続き、第２のフック１３０が右側に位置する結合溝３１０ａに結合されることにより、取っ手１００が放射線検出ボディ３００に結合されてもよい。
また、結合溝３１０ａ、３１０ｂの上端には、傾斜面３２０が形成されて第２のフック１３０と結合溝３１０ａ、３１０ｂが結合される手順で第２のフック１３０が傾斜面３２０に接触しながら傾斜面３２０の逆方向に回転することにより、第２のフック１３０が結合溝３１０ａ、３１０ｂに円滑に結合できるようにする。
【００３１】
併せて、結合溝３１０ａ、３１０ｂの断面は、側面視で「⊥」字状に形成されて、第１のフック１２０と第２のフック１３０が方向を問わずに結合溝３１０ａ、３１０ｂにフック結合されることもでき、第１の結合溝３１０ａの断面は「┘」字状であり、第２の結合溝３１０ｂの断面は「Ｌ」字状であってもよく、逆に、第１の結合溝３１０ａの断面は「Ｌ」字状であり、第２の結合溝３１０ｂの断面は「┘」字状であってもよい。
このとき、結合溝３１０ａ、３１０ｂの断面の形状に応じて、第１のフック１２０と第２のフック１３０のフックは、図３から図６に示すように、取っ手１００の外側方向に形成されてもよく、一例を挙げると、第１の結合溝３１０ａの断面の形状は「Ｌ」字状であり、第２の結合溝３１０ｂの断面の形状は「┘」字状である場合には、逆に、第１のフック１２０と第２のフック１３０のフックが取っ手１００の内側方向に形成されてもよい。
まとめると、本発明は、上述したようなフック結合を採択し、二重ロック装置を備えた上述したような放射線検出装置用取っ手及び放射線検出ボディを提供することにより、放射線検出ボディに取っ手を方向を問わずに結合することができて、運びやすさを確保することができ、フック結合方式を通して放射線検出ボディと取っ手との間のすき間を最小化させて結合安定性を高めることができるので、従来の放射線検出装置の問題を解決することができる。
【００３２】
以上、本発明の好適な実施形態及び応用例について図示し且つ説明したが、本発明は、上述した特定の実施形態及び応用例に何等限定されるものではなく、特許請求の範囲において請求する本発明の要旨を逸脱することなく、当該発明が属する技術分野において通常の知識を有する者によって様々な変形実施が可能であるということはいうまでもなく、これらの変形実施は、本発明の技術的思想や見込みがから個別的に理解されてはならない。
また、本発明において使用した用語は、単に特定の実施形態を説明するために用いられたものであり、本発明を限定しようとする意図はない。単数の表現は、文脈からみて、特に断りのない限り、複数の表現を含む。
本発明の保護範囲は、下記の特許請求の範囲によって解釈されてはならず、これと同等な範囲内にあるすべての技術思想は、本発明の権利範囲に含まれるものと解釈されなければならない。
【符号の説明】
【００３３】
１０  エックスレイデテクター
１１  溝
１００  取っ手
１１０  ボディ
１２０  第１のフック
１３０  第２のフック
１４０  ボタン部
２００  二重ロック装置
２１０  トリガー
２１１  曲面部
２１２  係止溝
２１３  突出部
２２０  移動部
２２０ａ  移動部の接触面
２２０ｂ  移動部の後端面
２２１  バネ
２３０  ストッパー
２４０  操作部
３００  放射線検出ボディ
３１０ａ、３１０ｂ  結合溝
３２０  傾斜面
【図１】
2019158880.tif 000003
【図２】
2019158880.tif 000004
【図３】
2019158880.tif 000005
【図４ａ】
2019158880.tif 000006
【図４ｂ】
2019158880.tif 000007
【図４ｃ】
2019158880.tif 000008
【図４ｄ】
2019158880.tif 000009
【図５ａ】
2019158880.tif 000010
【図５ｂ】
2019158880.tif 000011
【図５ｃ】
2019158880.tif 000012
【図５ｄ】
2019158880.tif 000013
【図６ａ】
2019158880.tif 000014
【図６ｂ】
2019158880.tif 000015